(57)【特許請求の範囲】
【請求項１】
２つの要素を相互に所定の角度で配置するための連結構成であって、
第１の連結要素と、
第２の連結要素と、
摺動部と、
結合機構と、
を備え、
前記第１の連結要素は、ボールソケットを有し、
前記第２の連結要素は、前記ボールソケットに嵌合する実質的に球形の一部をなす形状を有する突出部を備え、
前記結合機構は、前記第１の連結要素と、前記摺動部と、前記第２の連結要素とを押しつけて結合し、
前記ボールソケット、前記摺動部、および前記突出部の対向する面の各々は、凸形の形状と、前記凸形の形状に嵌合する凹形の形状とを有しており、
前記嵌合する構成によって、第１および第２の回転軸が前記摺動部と、前記ボールソケットと、前記突出部との間に規定され、
前記ボールソケット、前記摺動部、および前記突出部の前記嵌合する構成は、前記第１，第２の回転軸回りの運動方向に沿って複数の平行な上方から見て直線状の山と谷とを有し、かつ該運動方向に直交する断面において、一様な波形を示し、
前記嵌合する構成は、相互に表面全体で接触することを特徴とする、連結構成。
【請求項２】
請求項１記載の連結構成であって、
前記第１および第２の回転軸は、相互に直交するよう配置される、連結構成。
【請求項３】
請求項１または請求項２記載の連結構成であって、
前記摺動部は、実質的に半球の形状を有する、連結構成。
【請求項４】
請求項１ないし請求項３のいずれかに記載の連結構成であって、
前記ボールソケット、前記摺動部および前記突出部の前記嵌合する構成は、表面全体を覆うよう設計されている、連結構成。
【請求項５】
請求項４記載の連結構成であって、
前記嵌合する構成は、前記運動方向に直交する断面における一様な波形は、正弦曲線波形である連結構成。
【請求項６】
請求項１ないし請求項５のいずれかに記載の連結構成であって、
前記摺動部は、振動減衰材料からなる、連結構成。
【請求項７】
請求項１ないし請求項６のいずれかに記載の連結構成であって、
前記突出部、前記摺動部、および前記ボールソケットの各々は、中央開口部を有し、
前記結合装置は、前記ボールソケット、前記摺動部、および前記突出部の前記中央開口部を貫通して伸びる結合ロッドを備える、連結構成。
【請求項８】
請求項１ないし請求項７のいずれかに記載の連結構成であって、
前記摺動部は、前記第１の連結要素と前記第２の連結要素の間に配置され、
前記突出部は、前記凸形の形状が設けられた凸形の面を有し、
前記摺動部は、前記突出部の前記凸形の面が有する前記凸形の形状に嵌合する前記凹形の形状を有する凹形の面を備え、
前記突出部と前記摺動部との間の前記嵌合する構成は、前記第２の回転軸を規定し、
前記ボールソケットは、前記凹形の形状を有する凹形の面を備え、
前記摺動部は、前記ボールソケットの前記凹形の面の前記凹形の形状と嵌合する前記凸形の形状を有する凸形の面を備え、
前記摺動部と前記ボールソケットとの間の前記嵌合する構成は、前記第１の回転軸を規定する、連結構成。
【請求項９】
請求項８に記載の連結構成であって、
前記結合ロッドは、前記摺動部から離れた端部において、前記突出部および前記ボールソケットによって支持され、
前記突出部と前記摺動部、あるいは、前記ボールソケットと前記摺動部の前記中央開口部の少なくとも内径は、前記結合ロッドが、十分な大きさの遊びを有しつつ前記２つの連結要素の最大旋回範囲を規定するように前記中央開口部を貫通するほどの大きさを有する、連結構成。
【請求項１０】
請求項１ないし請求項９のいずれかに記載の連結構成であって、
前記突出部は、前記ボールソケット内に配置され、
前記突出部は、前記凸形の形状を有する凸形の面を備え、
前記ボールソケットは、前記突出部の前記凸形の面の前記凸形の形状に嵌合する前記凹形の形状を有する凹形の面を備え、
前記突出部と前記ボールソケットとの間の前記嵌合する構成は、前記第２の回転軸を規定し、
前記ボールソケットは、前記凸形の形状を有する凸形の面を備え、
前記摺動部は、前記ボールソケットの前記凸形の面の前記凸形の形状に嵌合する前記凹形の形状を有する凹形の面を備え、
前記ボールソケットと前記摺動部の前記嵌合する構成は、前記第１の回転軸を規定する、連結構成。
【請求項１１】
請求項１０に記載の連結構成であって、
前記結合ロッドは、前記ボールソケットから離れた面において、前記突出部と前記摺動部とによって支持され、
前記ボールソケットと前記摺動部、あるいは、前記ボールソケットと前記突出部の前記中央開口部の内径は、前記結合ロッドが、十分な大きさの遊びを有しつつ前記２つの連結要素の最大旋回範囲を規定するように前記中央開口部を貫通するほどの大きさを有する、連結構成。
【請求項１２】
請求項１ないし請求項６のいずれかに記載の連結構成であって、
前記突出部は、前記ボールソケット内に配置され、
前記突出部は、前記凸形の形状を有する凸形の面を備え、
前記ボールソケットは、前記突出部の前記凸形の面の前記凸形の形状に嵌合する前記凹形の形状を有する凹形の面を備え、
前記突出部と前記ボールソケットとの間の前記嵌合する構成は、前記第２の回転軸を規定し、
前記突出部は、前記凹形の形状を有する凹形の面を備え、
前記摺動部は、前記突出部の前記凹形の面の前記凹形の形状に嵌合する凸形の形状を有する凸形の面を備え、
前記突出部と前記摺動部の前記嵌合する構成は、前記第１の回転軸を規定する、連結構成。
【請求項１３】
請求項１２記載の連結構成であって、
前記結合ロッドは、前記突出部から離れた前記ボールソケットおよび前記摺動部の２つの面において支持され、
前記摺動部および前記突出部、または、前記突出部および前記ボールソケットの前記中央開口部の幅は、前記結合ロッドが、前記２つの連結要素の間の最大旋回角度を決定するすき間を広く保ちつつ前記所定の中央開口部を貫通するほどの大きさを有する、連結構成。
【請求項１４】
請求項１０ないし請求項１３のいずれかに記載の連結構成であって、
前記摺動部は、圧力ディスクによって前記結合ロッド上に支持され、
前記摺動部は、前記突出部の前記凹形の上面または前記ボールソケットの前記凸形の下面に接触している、連結構成。
【請求項１５】
請求項７ないし請求項１４のいずれかに記載の連結構成であって、
前記結合ロッドは、ねじりバネを貫通する、連結構成。
【請求項１６】
請求項１ないし請求項１５のいずれかに記載の連結構成であって、
前記第１の連結要素および前記第２の連結要素を嵌合させる電気モータ位置決め装置が設けられている、連結構成。
【請求項１７】
請求項１ないし請求項１６のいずれかに記載の連結構成であって、
前記連結構成は、調節可能なミラー板を備えるリアビューミラーのためのものである、連結構成。
【請求項１８】
ミラー支持体と、ミラー板と、前記ミラー支持体に対して前記ミラー板を調節するための連結構成とを備える自動車用の調節可能リアビューミラーであって、
前記連結構成は、請求項１ないし請求項１７のいずれかに記載の連結構成である、調節可能リアビューミラー。
【発明の詳細な説明】
【技術分野】
【０００１】
本発明は、請求項１の上位概念によると、自動車用リアビューミラーを調節するための連結構成に関し、さらに、請求項１８の上位概念によると、リアビューミラーに関する。
【背景技術】
【０００２】
EP 05 90 510 B1またはEP 06 54 377 A2は、ミラー板が、支持板を備える連結部によって結合された調節可能リアビューミラーを開示している。連結部は、前記支持板に結合されたボールソケットを備えている。ボールソケット内には、半球で貝殻形の突出部がはめられており、突出部には、ミラー板が固定されている。クランプ結合により、半球形の突出部は、ボールソケット内に押し込まれているため、旋回された際、その連結部は、任意の方向について安定している。所望の方向に旋回できるため、さらに、比較的大きな遊びが生じる。この大きな遊びのために、ミラー調節の正確さが制限される。
【０００３】
DE 196 44 824 C1は、ボールソケットと突出部との間に、第１のウェブを外側に備えると共に第１のウェブに直交した第２のウェブを内側に備えるプラスチックディスクが設けられていることを開示している。２つのウェブは、関係するボールソケットおよび突出部に設けられた嵌合形状の開口部にはめ込まれている。ボールソケット、プラスチックディスク、および突出部のこの構造により、ミラー調節の誘導は、互いに直角に配置された２つの回転軸に限定される。いずれにせよ、この構造は、磨滅や磨耗にさらされた場合に、遊びが大きくなる傾向がある。
【０００４】
さらに、DE 33 01 543 A1によって、遊びのないボールジョイントが広く知られている。このボールジョイントは、第１および第２のブッシュだけでなく、圧縮ジョイントを構成するための連結機構を有する。これにより、２つのブッシュが相互に支えられている。
【０００５】
さらに、De 27 41 290 A1によって、遊びのない吊り下げ鏡板がよく知られている。この鏡板は、第１および第２の結合部を有している。これにより、第１の結合部は、ハウジングに堅固に結合されている。
【発明の開示】
【発明が解決しようとする課題】
【０００６】
上記とは異なり、本発明の目的は、調整の際に、遊びが長期間にわたって小さく保たれる連結構成を提供することである。本発明のさらなる目的は、そのような連結部を備えるリアビューミラーを提供することである。
【課題を解決するための手段】
【０００７】
これらの目的は、特許請求の範囲に記載された本発明の特徴によって実現される。
【０００８】
本発明の連結構成は、
２つの要素を相互に所定の角度で配置するための連結構成であって、
第１の連結要素と、
第２の連結要素と、
摺動部と、
結合機構と、
を備え、
前記第１の連結要素は、ボールソケットを有し、
前記第２の連結要素は、前記ボールソケットに嵌合する実質的に球形の一部をなす形状を有する突出部を備え、
前記結合機構は、前記第１の連結要素と、前記摺動部と、前記第２の連結要素とを押しつけて結合し、
前記ボールソケット、前記摺動部、および前記突出部の対向する面の各々は、凸形の形状と、前記凸形の形状に嵌合する凹形の形状とを有しており、
前記嵌合する構成によって、第１および第２の回転軸が前記摺動部と、前記ボールソケットと、前記突出部との間に規定され、
前記ボールソケット、前記摺動部、および前記突出部の前記嵌合する構成は、前記第１，第２の回転軸回りの運動方向に沿って複数の平行な上方から見て直線状の山と谷とを有し、かつ該運動方向に直交する断面において、一様な波形を示し、
前記嵌合する構成は、相互に表面全体で接触することを特徴とする。
【００１０】
本発明によると、一様な波形を示す多数の谷と山が形状の一部として存在しており、前記谷および山の表面が完全に接触することによって曲率半径を変えることなしに、遊びが低減される。山と谷の形状を波形に成形することにより、力の分布が同様に均一化され、力のピークの出現が回避される。
【００１１】
本発明の有利な実施形態によると、２つの固定された回転軸が互いに垂直に配置されることにより、必要な調節経路が最小化される。
【００１２】
さらに別の有利な実施形態によると、摺動部は、半球の形状であるため、その凹面が、ボール突出部の形状に合致する。すなわち、摺動部は、前記突出部と嵌合する。これにより、２つの連結要素間の力の伝達が、均一に分布される。
【００１３】
別の有利な実施形態によると、形状は、ボールソケットの内側の表面全体を覆っており、さらに、突出部の該当する側と、摺動部の両側とを覆っている。このように、本発明に従って形状を施された表面は、最大化されているため、力の分布が均一化される。
【００１５】
摺動部を、振動減衰材料とすれば、リアビューミラーの振動が低減される。
【００１６】
ボールジョイントの中央開口部を貫通する突出ロッドを備える本発明の有利な実施形態は、２つの連結要素の間の小型な結合構成を実現する。
【００１７】
摺動部は、突出部とボールソケットとの間、ボールジョイントの凸形の面、または、突出部の凹形の面に配置することができる。このように、中央開口部のサイズは、簡単に、連結装置の旋回範囲を決定する。
【００１８】
このような連結装置は、特に、調節可能リアビューミラーに適している。この場合、調節可能ミラー板は、発明の連結装置によってミラー支持体に結合される。
【００１９】
残りの従属請求項は、本発明のさらなる有利な実施形態に関する。
【００２０】
以下では、実施形態の例の説明と、図面とを参照して、より詳細に本発明を説明する。
【発明を実施するための最良の形態】
【００２１】
図１、２および３は、本発明の連結装置の第１の実施形態を示す分解図である。連結装置は、ボールソケット４を備える第１の連結要素２と、半球形の突出部８を備える第２の連結要素６とを備える。ボールソケット４は、同様に、凹形の面１０と凸形の面１２とを備える半球の形状である。前記半球形の突出部８は、凸形の面と凹形の面１６とを有する。突出部８は、ボールソケット４に適合する。ボールソケット４と突出部８との間には、凸形の面２０と凹形の面２２とを有する半球で貝殻形の摺動部１８が設けられている。
【００２２】
摺動部１８の凸形の面２０には、凸形の形状２４が設けられており、ボールソケット４の凹形の面１８にも、凹形の形状２６が設けられている。凸形および凹形の形状２４および２６は、相互に嵌合し、ぴったりと挿入されると部分的に適合するよう成形される。このように、第１の連結部２と摺動部１８との間では、第１の回転軸ＤＡ１に関してのみ、滑り運動が可能となっている。図１、２および３では、第１の軸ＤＡ１は、図の面を横切って水平に伸びている。
【００２３】
摺動部１８の凹形の面２２には、同様に、凹形の形状２６が設けられており、突出部８の凸形の面１４には、形状２６に嵌合する凸形の形状２４が設けられている。このように、摺動部１８と第２の連結要素との間では、第１の回転軸ＤＡ１に直交すると共に図の面に直交する回転軸ＤＡ２に関してのみ、滑り運動が可能となっている。
【００２４】
相互に嵌合する形状２４および２６は、複数の山２８および谷３０からなり、それらは、上方から見ると直線に見える。図３において、摺動部１８の凸形の面２０の凸形の形状２４およびボールソケット４の凹形の面１０の凹形の形状２６に関して見られるように、回転軸ＤＡ１またはＤＡ２に直交する平面では、前記山２８および谷３０の波形の断面が見られる。
【００２５】
ボールソケット４、突出部８および摺動部１８、すなわち、それらの要素それぞれの凸形および凹形の形状は、片側の貝殻の形態に形成される。この際、外側の凹形の形状２６は、内側の凸形の形状２４よりも急な湾曲を有している。すなわち、内側の凸形の形状２４の曲率半径Ｒｅは、外側の凹形の形状２６の曲率半径Ｒａよりも大きい（図４参照）。形状２４および２６が剛体であれば、嵌合する谷／山の起伏は、１つの円周に沿ってのみ互いに咬み合う。しかしながら、形状２４および２６は、柔軟に変形できるので閉じた細長い接触面に沿って咬み合う。外側の凹形の形状２６は、内側の凸形の形状２４よりも大きな曲率を有するので、磨損するとさらに互いに潜り込むようになる。これにより、長期間にわたって使用しても遊びが生じない。
【００２６】
あるいは、相互に嵌合する形状２４および２６は、図１、２および４ないし６に示すように、表面全体が咬み合うように、互いに合致するよう形成されることも可能である。
【００２７】
結合機構３２により、第１および第２の連結要素２および６は、摺動部１８と共に結合される。結合機構３２は、ボールソケット、摺動部１８および突出部８の第１、第２および第３の中央開口部３６、３８および４０を貫通する結合ロッド３４からなる。結合ロッド３４は、下端に支持アセンブリ４２を有し、同様に上端部に終端ヘッド４４を有する。ただし、上部の終端ヘッド４４は、ボルトヘッド４４であり、突出部８の凹形の面１６を圧迫する。下部の支持アセンブリ４２は、ねじりバネ４６と、圧力ディスク４８と、ねじ込みナット５０とを備える。圧力ディスク４８およびねじりバネ４６は、ボールソケット４の第１の中央開口部３６から伸びると共にねじ込みヘッド５０によって所定位置に固定された結合ロッド３４上を滑るようになっている。
【００２８】
突出部８の第３の中央開口部４０は、その直径が結合ロッド３４の直径に適合している。摺動部１８の第２の中央開口部３８は、横長の孔であり、その比較的大きな直径は、第２の回転軸ＤＡ２に関する回転方向に伸びている。ボールソケット４の第１の中央開口部３６も、横長の孔であり、その比較的大きな直径は、第１の回転軸ＤＡ１に関する回転方向に伸びている。
【００２９】
図５は、図３と同じように、第２の好ましい実施形態を示す説明図である。本発明の第２の実施形態は、ボールソケット４が突出部８と摺動部１８との間に配置されている点で、第１の実施形態と異なっている。
【００３０】
突出部８と、凹形の面１６と、凸形の面１４と、前記面１４の凸形の形状とを備える第２の連結要素６は、図１から３に従った第１の実施形態の第２の連結要素６に対応する。凹形の形状２６は、凸形の面１４の凸形の形状２４と嵌合する。これは、形状２６がボールソケット４の凹形の面に配置されている点で、第１の実施形態と異なる。このように、突出部８とボールソケット４との間の第２の回転軸ＤＡ２は、ここでは、嵌合する形状２４および２６によって規定されている。
【００３１】
ボールソケット４の凸形の面１２には、同様に、凸形の形状が設けられている。これに嵌合する凹形の形状２６は、摺動部１８の凹形の面２２に設けられている。このように、第１の回転軸ＤＡ１は、それぞれボールソケットの凸形の面１２および摺動部１８の凹形の面２２上の嵌合する形状２４および２６によって定められる。
【００３２】
結合機構３２は、第１の実施形態の結合装置に対応する。第１の実施形態の場合には、摺動部１８は、ボールソケット４の面１２に向かって配置された圧力ディスク４８によって圧力を掛けられている。突出部８の第３の中央開口部４０および摺動部１８の第２の中央開口部３８は、直径が結合ロッド３４の直径に一致している。ボールソケットの第１の中央開口部は、同様に円形であるが、基本的に比較的大きく、２つの連結要素２および６の間の旋回範囲を規定している。
【００３３】
図６は、本発明の第３の実施形態を示す。第３の実施形態は、突出部８が摺動部１８とボールソケット４との間に配置されている点で、第１および第２の実施形態と異なっている。結合装置は、簡略化のため、図６には示されていない。
【００３４】
第１の回転軸ＤＡ１は、摺動部１８の凸形の面２０の凸形の形状２４と、それに嵌合する突出部８の凹形の面１６の凹形の形状２６とによって、摺動部１８と突出部８との間に定められる。第２の回転軸ＤＡ２は、突出部８の凸形の面１４の凸形の形状２４と、それに嵌合するボールソケット４の凹形の面１０の形状２６とによって、突出部８とボールソケット４との間の直線に定められる。
【００３５】
突出部８の第３の中央開口部４０は、その直径が結合ロッド（図示せず）の直径に一致している。ボールソケット４の第１の中央開口部３６および摺動部１８の第２の中央開口部３８は、本質的に比較的大きな直径を有しており、ここでも、２つの連結要素２および６の間の旋回範囲を制限している。
【図面の簡単な説明】
【００３６】
【図１】上方から見た本発明の第１の実施形態の本質的な要素を示す分解斜視図。
【図２】下方から見た本発明の第１の実施形態の本質的な要素を示す分解斜視図。
【図３】図１および２に従った実施形態の例を示す断面図。
【図４】異なる曲率の凹および凸構造の違いを示す説明図。
【図５】本発明の第２の実施形態を示す図。
【図６】本発明の第３の実施形態を示す図。
【符号の説明】
【００３７】
２...第１の連結要素
４...ボールソケット
６...第２の連結要素
８...突出部
１０...４の凹形の面
１２...４の凸形の面
１４...８の凸形の面
１６...８の凹形の面
１８...摺動部
２０...１８の凸形の面
２２...１８の凹形の面
２４...凸形の形状
２６...凹形の形状
２８...形状の山
３０...形状の谷
３２...結合機構
３４...結合ロッド
３６、３８、４０...中央開口部
４２...支持アセンブリ
４４...終端ヘッド
４６...ねじりバネ
４８...圧力ディスク
５０...ねじ込みナット
ＤＡ１...第１の回転軸
ＤＡ２...第２の回転軸
【図１】
0004323956.tif 000002
【図２】
0004323956.tif 000003
【図３】
0004323956.tif 000004
【図４】
0004323956.tif 000005
【図５】
0004323956.tif 000006
【図６】
0004323956.tif 000007